(57)【特許請求の範囲】
【請求項１】
被検体内で所定方向に並んだ複数の切断位置それぞれにおける複数の断面画像からなる断面画像群を、同一の被検体に対して複数群取得する画像取得部と、
前記複数の断面画像群間における断面画像の、前記所定方向と交わる方向の位置ずれを補正する位置ずれ補正部と、
前記画像取得部で取得された複数の断面画像群のうちの１つの断面画像群中の断面画像に対して注目箇所を設定する注目箇所設定部と、
前記注目箇所設定部で設定された注目箇所を含んだ、前記断面画像の中の一部領域を設定する一部領域設定部と、
前記複数の断面画像群のうち前記注目箇所が設定された断面画像群を除く他の断面画像群を構成する複数の、前記位置ずれ補正部によって位置ずれが補正された断面画像に、前記一部領域に対応する対応領域を設定する対応領域設定部と、
前記注目箇所が設定された断面画像群を除く他の断面画像群を構成する複数の断面画像の中から、前記一部領域内の画像にマッチングしている画像を有する対応領域を含んだ断面画像を探索する断面画像探索部と、
前記断面画像探索部で探索された断面画像を表示する画像表示部とを備えたことを特徴とする画像表示装置。
【請求項２】
前記複数の断面画像群それぞれの、前記注目箇所設定部で設定された注目箇所から抽出した各抽出像が共通サイズの表示領域内にいずれも表示可能となるように、その各抽出像のサイズに合わせて該共通サイズを決定するサイズ決定部を備え、
前記画像表示部が、前記共通サイズの表示領域に前記抽出像を表示するものであることを特徴とする請求項１記載の画像表示装置。
【請求項３】
前記画像表示部は、前記注目箇所設定部で注目箇所が設定された断面画像と、前記断面画像探索部による探索で見つかった断面画像とを互いに並べて表示するものであることを特徴とする請求項１又は２記載の画像表示装置。
【請求項４】
前記注目箇所設定部は、１つの断面画像に対して複数の注目箇所を設定可能なものであり、
前記断面画像探索部は、前記注目箇所設定部で設定された各注目箇所について各断面画像を探索するものであることを特徴とする請求項１から３のうちのいずれか１項記載の画像表示装置。
【請求項５】
前記複数の断面画像群は、同一被検体について異なる時期に撮影されたものであることを特徴とする請求項１から４のうちのいずれか１項記載の画像表示装置。
【請求項６】
コンピュータ内で実行され、該コンピュータ上に、
前記複数の断面画像群間における断面画像の、前記所定方向と交わる方向の位置ずれを補正する位置ずれ補正部と、
前記画像取得部で取得された複数の断面画像群のうちの１つの断面画像群中の断面画像に対して注目箇所を設定する注目箇所設定部と、
前記注目箇所設定部で設定された注目箇所を含んだ、前記断面画像の中の一部領域を設定する一部領域設定部と、
前記複数の断面画像群のうち前記注目箇所が設定された断面画像群を除く他の断面画像群を構成する複数の、前記位置ずれ補正部によって位置ずれが補正された断面画像に、前記一部領域に対応する対応領域を設定する対応領域設定部と、
前記注目箇所が設定された断面画像群を除く他の断面画像群を構成する複数の断面画像の中から、前記一部領域内の画像にマッチングしている画像を有する対応領域を含んだ断面画像を探索する断面画像探索部と、
前記断面画像探索部で探索された断面画像を表示する画像表示部とを構築することを特徴とする画像表示プログラム。
【発明の詳細な説明】
【技術分野】
【０００１】
本発明は、被検体を撮影した医用画像を表示する画像表示装置、および画像表示プログラムに関する。
【背景技術】
【０００２】
医療の分野においては、従来から、Ｘ線撮影装置、超音波装置、および内視鏡装置などを使って被検体の体内を撮影した医用画像を、被検体の病状の診断等に利用することが広く行われている。医用画像を診断に利用することにより、被検体に外的なダメージを与えることなく、被検体の病状の進行状態などを把握することができ、治療方針の決定などに必要な情報を手軽に得ることができる。
【０００３】
また、Ｘ線撮影装置や内視鏡装置などに加えて、被検体を複数の切断位置それぞれで切断したときの複数の断面画像を撮影するＣＴ装置（Ｃｏｍｐｕｔｅｒｉｚｅｄ  Ｔｏｍｏｇｒａｐｈｙ）やＭＲＩ装置（Ｍａｇｎｅｔｉｃ  Ｒｅｓｏｎａｎｃｅ  Ｉｍａｇｉｎｇ）を備えた病院も増えてきている。これらＣＴ装置やＭＲＩ装置は、光プローブを体内に挿入する内視鏡装置などと比較して、検査時に被検体に与える苦痛を軽減することができるとともに、複数の断面画像を使って病巣の正確な位置や大きさを３次元的に確認することができるため、近年では、人間ドックなどでも採用されてきている。
【０００４】
ここで、通常は、検査時に撮影された医用画像は、カルテなど一緒に被検体ごとにまとめて保存されていることが一般的であり、実際の診断時には、異なる時期に撮影された複数の医用画像をモニタ上に並べて表示する比較読影が行われる。この比較読影は、病巣の大きさの変化などを容易に確認することができ、病状や治療の効果を診断するのに大変有用な方法の１つである。
【０００５】
ＣＴ装置やＭＲＩ装置で撮影された断面画像を使って比較読影を行う際には、例えば、複数の検査それぞれで撮影された断面画像の中から、同じ病巣が写っていると思われる断面画像を選択し、それらの断面画像を並べて表示することが行われている。しかし、多数の断面画像の中から所望の断面画像を手動で選択する作業は、大変な手間と時間がかかってしまうという問題がある。
【０００６】
この点に関し、特許文献１には、複数回の検査それぞれにおいて撮影された複数の断面画像からなる断面画像群を取得し、少なくとも１つの断面画像群中の断面画像を指定すると、それらの断面画像を撮影した装置が有する撮影範囲内において、その断面画像が撮影された位置と同じ位置の断面が撮影された他の断面画像群中の断面画像を選択する技術について記載されている。この特許文献１に記載された技術によると、例えば、１回目の検査で撮影された複数の断面画像の中から病巣などが写っている断面画像を指定すると、２回目の検査で撮影された複数の断面画像の中から、指定された断面画像と上述した撮影範囲内における同じ切断位置の断面画像が自動的に選択されて表示モニタ上に表示されるため、手動で断面画像を選択する手間や時間を大幅に省くことができる。
【特許文献１】特開平８−２９４４８５号公報
【発明の開示】
【発明が解決しようとする課題】
【０００７】
しかし、相互に異なる時期に、ぴったりと同じ姿勢で被検体を撮影することは大変困難であり、被検体に対する断面の傾きなどが微妙にずれてしまうことがある。また、体格の変化や呼吸などによって、被検体の体長や幅が伸縮することもあり、ある断面画像群では１枚の断面画像上に写っている複数の病巣が、他の断面画像群では、複数の断面画像に分かれて写っていたり、１つの病巣が相互に切断位置が異なる断面画像上に写っていることもある。このため、結局は、医師が自ら手動で断面画像を選択しなおさなければならないという問題がある。
【０００８】
本発明は、上記事情に鑑み、複数の断面画像群それぞれを構成する複数の断面画像の中から、相互に対応する断面画像を精度良く選択して表示することができる画像表示装置および画像表示プログラムを提供することを目的とする。
【課題を解決するための手段】
【０００９】
上記目的を達成する本発明の画像表示装置は、被検体内で所定方向に並んだ複数の切断位置それぞれにおける複数の断面画像からなる断面画像群を、同一の被検体に対して複数群取得する画像取得部と、
画像取得部で取得された複数の断面画像群のうちの１つの断面画像群中の断面画像に対して注目箇所を設定する注目箇所設定部と、
複数の断面画像群のうちの注目箇所設定部で注目箇所が設定された断面画像群を除く他の断面画像群を構成する複数の断面画像の中から、注目箇所に相当する箇所を含んだ断面画像を探索する断面画像探索部と、
断面画像探索部で探索された断面画像を表示する画像表示部とを備えたことを特徴とする。
【００１０】
本発明の画像表示装置によると、１つの断面画像群中の断面画像に対して注目箇所を設定すると、その断面画像群を除く他のセットを構成する複数の断面画像の中から、注目箇所に相当する箇所を含んだ断面画像が探索され、探索された断面画像が表示画面上に表示される。このため、被検体の姿勢のずれなどによって、病巣などが複数の断面画像群間で相互に異なる切断位置の断面画像に写っていても、１つの断面画像群中の断面画像上で注目箇所を指定すると、その断面画像群を除く他の断面画像群中の、注目箇所に相当する箇所を含んだ断面画像が自動的に探索されるため、病状の変化などを容易に見比べることができる。
【００１１】
また、本発明の画像表示装置において、上記画像表示部は、注目箇所設定部で注目箇所が設定された断面画像と、断面画像探索部による探索で見つかった断面画像とを互いに並べて表示するものであることが好ましい。
【００１２】
注目箇所が設定された断面画像と、断面画像探索部による探索で見つかった断面画像とが並べて表示されることにより、それら複数の断面画像間の注目箇所の変化を確実に認識することができる。
【００１３】
また、本発明の画像表示装置において、上記注目箇所設定部は、１つの断面画像に対して複数の注目箇所を設定可能なものであり、
上記断面画像探索部は、注目箇所設定部で設定された各注目箇所について各断面画像を探索するものであることが好適である。
【００１４】
この好適な画像表示装置によると、１つの断面画像上で複数の注目箇所を設定することにより、各注目箇所について各断面画像が探索されるため、１度の操作で複数の病巣などの変化を確認することができる。
【００１５】
また、本発明の画像表示装置において、上記複数の断面画像群間における断面画像の位置ずれを補正する位置ずれ補正部を備え、
上記断面画像探索部が、位置ずれ補正部によって位置ずれが補正された断面画像の中から注目箇所が含まれる断面画像を探索するものであることが好ましい。
【００１６】
従来から、複数の画像相互間の位置ずれを補正する画像マッチング処理が広く知られている。この画像マッチング処理などを使って断面画像の位置ずれを補正しておくことによって、注目箇所が含まれる断面画像をより精度良く探索することができる。
【００１７】
また、本発明の画像表示装置において、上記複数の断面画像群は、同一被検体について異なる時期に撮影されたものであることが好適である。
【００１８】
この好適な画像表示装置によると、被検体の病巣の大きさの変化などを容易に認識することができる。
【００１９】
また、上記目的を達成する本発明の画像表示プログラムは、コンピュータ内で実行され、コンピュータ上に、
被検体内で所定方向に並んだ複数の切断位置それぞれにおける複数の断面画像からなる断面画像群を、同一の被検体に対して複数群取得する画像取得部と、
前記画像取得部で取得された複数の断面画像群のうちの１つの断面画像群中の断面画像に対して注目箇所を設定する注目箇所設定部と、
複数の断面画像群のうちの注目箇所設定部で注目箇所が設定された断面画像群を除く他の断面画像群を構成する複数の断面画像の中から、注目箇所に相当する箇所を含んだ断面画像を探索する断面画像探索部と、
断面画像探索部で探索された断面画像を表示する画像表示部とを構築することを特徴とする。
【００２０】
本発明の画像表示プログラムによると、複数の断面画像群それぞれを構成する複数の断面画像の中から、相互に対応する断面画像を精度良く選択して表示する画像表示装置を構築することができる。
【００２１】
尚、画像表示プログラムについても、ここではそれらの基本形態のみを示すのにとどめるが、これは単に重複を避けるためであり、本発明にいう画像表示プログラムには、上記の基本形態のみではなく、前述した画像表示装置の各形態に対応する各種の形態が含まれる。
【００２２】
さらに、本発明の画像表示プログラムがコンピュータシステム上に構築する画像取得部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【発明の効果】
【００２３】
本発明によれば、複数の断面画像群それぞれを構成する複数の断面画像の中から、相互に対応する断面画像を精度良く選択して表示することができる。
【発明を実施するための最良の形態】
【００２４】
以下、図面を参照して本発明の実施の形態を説明する。
【００２５】
図１は、本発明の一実施形態が適用された医療診断システムの概略構成図である。
【００２６】
図１に示す医療診断システムは、被検体の体内を撮影して医用画像を生成する画像生成装置１０と、医用画像やカルテなどを保存する管理サーバ２０と、医用画像を表示する診断装置３０とで構成されており、画像生成装置１０と管理サーバ２０、および管理サーバ２０と診断装置３０は、ネットワーク回線を介して接続されている。
【００２７】
この医療診断システムでは、初診の被検体に対して、各被検体を識別するための識別番号が割り当てられ、その識別番号と、被検体の氏名や年齢や病歴などが示されたカルテとが対応付けられて管理サーバ２０に登録される。
【００２８】
画像生成装置１０には、被検体に放射線を照射し、被検体を透過してきた放射線を読み取ってデジタルの医用画像を生成するＣＲ装置１１や、強磁場と電波とを使って被検体の断層画像を生成するＭＲＩ装置１２や、放射線を使って被検体の断層画像を生成するＣＴ装置（図示しない）や、超音波のエコーを読み取って医用画像を生成する超音波装置（図示しない）などが含まれる。画像生成装置１０で生成された医用画像は、その医用画像の被検体である被検体を識別する識別番号とともに管理サーバ２０に送られる。
【００２９】
管理サーバ２０は、画像生成装置１０から医用画像と識別番号とが送られてくると、その医用画像を識別番号と対応付けて記憶する。すなわち、管理サーバ２０には、識別番号と、その識別番号が割り当てられた被検体のカルテと、被検体の医用画像とが対応付けられて登録される。
【００３０】
診断装置３０は、外観構成上、本体装置３１、その本体装置３１からの指示に応じて表示画面３２ａ上に画像を表示する画像表示装置３２、本体装置３１に、キー操作に応じた各種の情報を入力するキーボード３３、および、表示画面３２ａ上の任意の位置を指定することにより、その位置に表示された、例えばアイコン等に応じた指示を入力するマウス３４を備えている。
【００３１】
ユーザが診断装置３０のマウス３４等を使って被検体の氏名や識別番号などを入力すると、その入力内容が管理サーバ２０に伝えられる。管理サーバ２０は、診断装置３０から伝えられた被検体の氏名や識別番号と対応付けられた医用画像とカルテを診断装置３０に向けて送る。診断装置３０では、表示画面３２ａ上に、管理サーバ２０から送られてきた医用画像が表示される。診断装置３０の表示画面３２ａ上に表示された医用画像を確認することにより、ユーザは、被検体に外的なダメージを与えることなく、被検体の病状を診断することができる。
【００３２】
ユーザは、診断装置３０の表示画面３２ａに表示された医用画像を見て被検体の病状を診断し、マウス３４やキーボード３３を使ってカルテを編集する。編集後のカルテは、管理サーバ２０に送られ、管理サーバ２０に記憶されているカルテが診断装置３０から送られてきた新たなカルテに更新される。
【００３３】
図１に示す医療診断システムは、基本的には以上のように構成されている。
【００３４】
ここで、医療診断システムにおける本発明の一実施形態としての特徴は、診断装置３０で実行される処理内容にある。以下、診断装置３０について詳しく説明する。
【００３５】
図２は、診断装置３０のハードウェア構成図である。
【００３６】
診断装置３０の本体装置３１の内部には、図２に示すように、各種プログラムを実行するＣＰＵ３０１、ハードディスク装置３０３に格納されたプログラムが読み出されＣＰＵ３０１での実行のために展開される主メモリ３０２、各種プログラムやデータ等が保存されたハードディスク装置３０３、ＦＤ４１が装填され、そのＦＤ４１をアクセスするＦＤドライブ３０４、ＣＤ−ＲＯＭ４２をアクセスするＣＤ−ＲＯＭドライブ３０５、管理サーバ２０から画像データ等を受け取り、管理サーバ２０に各種指示データを送るＩ／Ｏインタフェース３０６が内蔵されており、これらの各種要素と、さらに図１にも示す画像表示装置３２、キーボード３３、マウス３４は、バス３０７を介して相互に接続されている。
【００３７】
ここで、ＣＤ−ＲＯＭ４２には、診断装置３０内に本発明の画像表示装置の一実施形態を構築するための、本発明の画像表示プログラムの一実施形態である医用画像表示プログラム１００（図３参照）が記憶されている。
【００３８】
図３は、ＣＤ−ＲＯＭ４２を示す概念図である。
【００３９】
図３に示すように、ＣＤ−ＲＯＭ４２に記憶された医用画像表示プログラム１００は、画像取得部１１０、注目箇所指定部１２０、注目箇所設定部１３０、位置ずれ補正部１４０、断面画像探索部１５０、切断位置切替部１６０、および画像表示部１７０で構成されている。
【００４０】
ＣＤ−ＲＯＭ４２は、診断装置３０のＣＤ−ＲＯＭドライブ３０５に装填され、ＣＤ−ＲＯＭ４２に記憶された医用画像表示プログラム１００が診断装置３０にアップロードされてハードディスク装置３０３に記憶される。そして、この医用画像表示プログラム１００が起動されて実行されることにより、診断装置３０内に本発明の画像表示装置の一実施形態である医用画像表示装置２００（図４参照）が構築される。
【００４１】
尚、上記では、医用画像表示プログラム１００を記憶する記憶媒体としてＣＤ−ＲＯＭ４２が例示されているが、医用画像表示プログラム１００を記憶する記憶媒体はＣＤ−ＲＯＭに限られるものではなく、それ以外の光ディスク、ＭＯ、ＦＤ、磁気テープなどの記憶媒体であってもよい。また、医用画像表示プログラム１００は、記憶媒体を介さずに、Ｉ／Ｏインタフェース３０６を介して直接に診断装置３０に供給されるものであってもよい。
【００４２】
医用画像表示プログラム１００の各部の詳細については、医用画像表示装置２００の各部の作用と一緒に説明する。
【００４３】
図４は、医用画像表示装置２００の機能ブロック図である。
【００４４】
医用画像表示装置２００は、画像取得部２１０と、注目箇所指定部２２０と、注目箇所設定部２３０と、位置ずれ補正部２４０と、断面画像探索部２５０と、切断位置切替部２６０と、画像表示部２７０とを有している。
【００４５】
医用画像表示装置２００を構成する、画像取得部２１０と、注目箇所指定部２２０と、注目箇所設定部２３０と、位置ずれ補正部２４０と、断面画像探索部２５０と、切断位置切替部２６０と、画像表示部２７０は、図３の医用画像表示プログラム１００を構成する、画像取得部１１０、注目箇所指定部１２０、注目箇所設定部１３０、位置ずれ補正部１４０、断面画像探索部１５０、切断位置切替部１６０、および画像表示部１７０にそれぞれ対応する。
【００４６】
図４の各要素は、コンピュータのハードウェアとそのコンピュータで実行されるＯＳやアプリケーションプログラムとの組合せで構成されているのに対し、図３に示す医用画像表示プログラム１００の各要素はそれらのうちのアプリケーションプログラムのみにより構成されている点が異なる。
【００４７】
図５は、図４に示す医用画像表示装置２００において、管理サーバ２０から医用画像を取得し、その取得した医用画像を表示するまでの一連の処理の流れを示すフローチャート図である。
【００４８】
以下、図５のフローチャートに従って、図４に示す医用画像表示装置２００の各要素の動作について説明することによって、図３に示す医用画像表示プログラム１００の各要素も併せて説明する。
【００４９】
ユーザが図１に示すマウス３４やキーボード３３を使って、診断を行う被検体の氏名や識別番号を入力すると、その入力内容が図２のＩ／Ｏインタフェース３０６を介して管理サーバ２０に伝えられる。管理サーバ２０では、診断装置３０から伝えられた氏名や識別番号と対応付けられた医用画像とカルテが診断装置３０に向けて送られる。
【００５０】
管理サーバ２０から送られてきた医用画像は、図４に示す画像取得部２１０で取得される（図５のステップＳ１）。画像取得部２１０は、本発明にいう画像取得部の一例に相当する。
【００５１】
図６は、管理サーバ２０から送られてくる医用画像のイメージを示す図である。
【００５２】
図１に示すＭＲＩ装置１２では、被検体Ｐを検査台上の所定位置に頭を合わせて寝かせた状態で、被検体Ｐを胸から足の付け根までが含まれる撮影範囲内で所定間隔ごとに切断したときの各断面が撮影される。撮影された複数の断面画像には、各断面画像の、撮影範囲内における切断位置の座標Ｘ０〜Ｘｎが付加される。本実施形態では、相互に異なる時期に、ＭＲＩ装置１２を使って同じ被検体Ｐが２度撮影され、それら各撮影において、複数の断面画像で構成される断面画像群３１０，３２０が生成されて、管理サーバ２０に記憶されている。画像取得部２１０では、これら２回分の断面画像群３１０，３２０が取得され、取得された断面画像群３１０，３２０が画像表示部２７０、および注目箇所設定部２３０に伝えられる。
【００５３】
画像表示部２７０は、画像取得部２１０から伝えられた断面画像群３１０，３２０が含まれた断面画像表示画面４１０（図７参照）を図１に示す表示画面３２ａ上に表示する。画像表示部２７０は、本発明にいう画像表示部の一例に相当する。
【００５４】
図７は、断面画像表示画面の一例を示す図である。
【００５５】
図７に示す断面画像表示画面４１０には、断面画像群３１０，３２０を構成する断面画像のうち、１つの切断位置Ｘ０における断面画像３１０＿Ｘ０，３２０＿Ｘ０が表示されており、さらに、それら断面画像３１０＿Ｘ０，３２０＿Ｘ０の切断位置や、撮影日や、被検体名などが表示されている。
【００５６】
２つの断面画像３１０＿Ｘ０，３２０＿Ｘ０は、相互に異なる時期に、同じ被検体の同じ切断位置の断面が撮影された画像であるが、それぞれの撮影時における被検体の体のねじれ、体格の変化、および呼吸などによって、同じ切断位置における被検体の体軸方向の位置が微妙に異なってしまう。図７の例では、１回目に撮影された左側の断面画像３１０＿Ｘ０には、病巣であると疑われる病変部分Ｐが写っているが、２回目に撮影された右側の断面画像３２０＿Ｘ０には病変部分Ｐが写っていない。
【００５７】
本実施形態の医用画像表示装置２００では、まず、２つの断面画像３１０＿Ｘ０，３２０＿Ｘ０のうちの一方の断面画像上で注目箇所Ｐ１が設定される（図５のステップＳ２）。図７の例では、ユーザが図１に示すマウス３４を使って左側の断面画像３１０＿Ｘ０上で注目点（病変部分Ｐ）をクリックすると、図４に示す注目箇所指定部２２０から注目箇所設定部２３０に、クリックされた注目点の位置が伝えられる。
【００５８】
注目箇所設定部２３０は、断面画像３１０＿Ｘ０，３２０＿Ｘ０のうちの、注目点が指定された断面画像については、その指定された注目点を注目箇所Ｐ１と決定する。図７の例では、左側の断面画像３１０＿Ｘ０上の病変箇所Ｐがクリックされることにより、その病変箇所Ｐが注目箇所Ｐ１と決定される。決定された注目箇所Ｐ１の位置と、断面画像群３１０，３２０は、位置ずれ補正部２４０に伝えられる。注目箇所設定部２３０は、本発明にいう注目箇所設定部の一例に相当する。
【００５９】
位置ずれ補正部２４０は、断面画像群３１０，３２０相互間の立体的な位置ずれを補正する（図５のステップＳ３）。位置ずれ補正部２４０は、本発明にいう位置ずれ補正部の一例に相当する。
【００６０】
図８は、位置ずれの補正方法を示すフローチャート図である。
【００６１】
位置ずれ補正部２４０では、まず、断面画像群３１０，３２０それぞれを構成する断面画像同士の機械的な切断位置のずれを補正する（図８のステップＳ１１）。本実施形態においては、複数の断面画像群中の、撮影範囲内における同じ切断位置の断面画像同士をセットにして、各セットごとに断面画像の機械的な位置ずれを補正する。この機械的な位置ずれ補正方法については、特開平８−２９４４８５号公報などに記載されているため、本明細書では、詳細な説明を省略する。この時点では、撮影範囲内で同じ位置にある断面画像同士がセットにされているが、同じセット中の断面画像に、被検体のどの位置（体軸位置）が写っているのかはわかっていない。
【００６２】
ここで、断面画像同士がセットにされると、そのセット中の、注目箇所Ｐ１が決定されていない断面画像に対して、注目点の指定が行われた断面画像上の注目箇所Ｐ１と同じ座標上の箇所が候補箇所Ｐ２に決定される。図７の例では、病変箇所Ｐが指定された断面画像群３１０中の各断面画像上の注目箇所Ｐ１の座標をＰ１（ｘ，ｙ，ｚ）＝（ｐ１ｘ，ｐ１ｙ，ｐ１ｚ）とすると、それらの断面画像と対応する断面画像群３２０中の断面画像上の候補箇所Ｐ２は、Ｐ２（ｘ，ｙ，ｚ）＝（ｐ１ｘ，ｐ１ｙ，ｐ２ｚ）となる。この候補箇所Ｐ２のＺ座標値「ｐ２ｚ」は、各断面画像の切断位置の座標がそのまま使用される。
【００６３】
続いて、断面画像群３１０，３２０それぞれにおいて、各断面画像中の、被検体が写っている体部領域が抽出され、それぞれの体部領域の重心位置が合わせられる（図８のステップＳ１２）。図７の例では、断面画像群３１０，３２０を構成している各断面画像中の、所定の閾値よりも濃度値が高い領域が体部領域として抽出され、病変箇所Ｐが指定された断面画像群３１０中の各断面画像における体部領域の重心位置の座標が算出され、他方の断面画像群３２０中の各断面画像が、体部領域の重心位置が算出された重心位置に合うように平行移動される。
【００６４】
さらに、断面画像群３１０，３２０それぞれにおいて、ねじれ方向の位置が合わせられる（図８のステップＳ１３）。図７の例では、病変箇所Ｐが指定された断面画像群３１０中の各断面画像における体部領域の長径が算出され、他方の断面画像群３２０中の各断面画像が、体部領域の長径が算出された長径に合うように回転移動される。
【００６５】
以上のようにして、断面画像群３１０，３２０相互間の位置ずれが補正される。位置ずれが補正された断面画像群３１０，３２０は、断面画像探索部２５０に伝えられる。
【００６６】
断面画像探索部２５０では、位置ずれ補正部２４０から伝えられた断面画像群３１０，３２０に基づいて、注目点が指定されなかった断面画像群中の断面画像の中から、注目箇所Ｐ１に相当する注目箇所Ｐ１´を含む断面画像が探索される（図５のステップＳ４）。断面画像探索部２５０は、本発明にいう断面画像探索部の一例に相当する。
【００６７】
以下では、断面画像の探索方法について詳しく説明する。
【００６８】
図９は、断面画像の探索方法を説明するための図である。
【００６９】
図８に示す位置ずれ補正処理によって、断面画像群３１０，３２０中の、相互に切断位置が同じである断面画像同士は、図９のｘ、ｙ方向における位置が合わせられている。ここでは、切断位置に沿ったスライス方向（ｚ方向）に注目して探索が行われる。
【００７０】
まず、注目点が指定された左側の断面画像３１０＿Ｘ０において、注目箇所Ｐ１の近傍領域Ｑ１内の各点（ｘ，ｙ）における画素値Ｎ１（ｘ，ｙ）が取得される。
【００７１】
続いて、注目点が指定されていない右側の断面画像３２０＿Ｘ０上の、注目箇所Ｐ１と同じ座標上の点である候補箇所Ｐ２が、スライス方向（ｚ方向）に所定範囲内（前後２０画素）で移動され、候補箇所Ｐ２（ｚ）における近傍領域Ｑ２内の各点（ｘ，ｙ）の画素値Ｎ２（ｘ，ｙ）が取得される。すなわち、断面画像群３２０中の断面画像のうち、断面画像３２０＿Ｘ０を挟んだ前後複数枚の断面画像における画素値Ｎ２が取得されることとなる。
【００７２】
さらに、各候補箇所Ｐ２（ｚ）と注目箇所Ｐ１との画像マッチング度合いが評価される。注目箇所Ｐ１に基づいた画素値Ｎ１（ｘ，ｙ）と、候補箇所Ｐ２（ｚ）に基づいた画素値Ｎ２（ｘ，ｙ）との差の自乗が算出され、その自乗の総和が評価値（ｚ）として算出される。その結果、断面画像３２０＿Ｘ０を含む前後複数枚の断面画像３２０＿ｚにおける評価値（ｚ）が算出される。
【００７３】
この評価値（ｚ）は、値が小さいほど、断面画像３１０＿Ｘ０と、断面画像３１０＿ｚとの画像マッチング度が高いことを示している。算出された複数枚の断面画像３２０＿ｚのうち、評価値が最小である断面画像３２０＿Ｘｎが探索対象と決定され、その断面画像３２０＿Ｘｎ上の候補箇所Ｐ２が、断面画像３２０＿Ｘ０上の注目箇所Ｐ１に対応する注目箇所Ｐ１´と決定される。
【００７４】
尚、本実施形態においては、注目箇所Ｐ１に基づいた画素値Ｎ１（ｘ，ｙ）と、候補箇所Ｐ２（ｚ）に基づいた画素値Ｎ２（ｘ，ｙ）との差の自乗の総和に基づいて画像マッチング度合いを評価したが、本発明にいう断面画像探索部は、例えば、画素値Ｎ１（ｘ，ｙ）と画素値Ｎ２（ｘ，ｙ）との相関係数に基づいて画像マッチング度合いを評価しても良く、画素値Ｎ１（ｘ，ｙ）と画素値Ｎ２（ｘ，ｙ）の相互情報量に基づいて画像マッチング度合いを評価しても良い。また、特開２００１−１６９１８２などに示された画像マッチング方法などを利用してもよい。
【００７５】
断面画像探索部２５０で探索された断面画像３２０＿Ｘｎは、画像表示部２７０に伝えられる。
【００７６】
画像表示部２７０は、断面画像探索部２５０から伝えられた断面画像３２０＿Ｘｎを、図７に示す断面画像表示画面４１０上の、注目点が指定されていない断面画像３２０＿Ｘ０と差し替えて表示する（図５のステップＳ５）。
【００７７】
図１０は、探索された断面画像３２０＿Ｘｎが表示された断面画像表示画面４１０の一例を示す図である。
【００７８】
図１０に示す断面画像表示画面４１０には、注目点が指定された断面画像３１０＿Ｘ０に並べて、その断面画像３１０＿Ｘ０上の注目箇所Ｐ１に相当する注目箇所Ｐ１´が含まれた断面画像３２０＿Ｘｎが表示されており、各注目箇所Ｐ１，Ｐ１´には、マーク画像が表示されている。
【００７９】
このように、本実施形態によると、被検体の姿勢のずれなどによって、病巣などが複数の断面画像群間で相互に異なる切断位置の断面画像に写っていても、その病巣等を含んだ断面画像が自動的に探索されて表示されるため、病状の変化などを容易に見比べることができる。
【００８０】
また、図１０に示す表示の状態で、ユーザがマウス３４のホイールを回すと、図４に示す切断位置切替部２６０から断面画像探索部２５０に切断位置の切り替えが指示される（図５のステップＳ６：Ｙｅｓ）。
【００８１】
断面画像探索部２５０では、現時点で表示されている断面画像３１０＿Ｘ０，３２０＿Ｘｎそれぞれの切断位置Ｘ０，Ｘｎから、ホイールの回転量に応じた距離だけ、ホイールの回転方向に応じた方向に離れた切断位置Ｘｍ，Ｘｎ＋ｍの断面画像３１０＿Ｘｍ，３２０＿Ｘｎ＋ｍが画像表示部２７０に伝えられ、画像表示部２７０では、断面画像３１０＿Ｘｍ，３２０＿Ｘｎ＋ｍが断面画像表示画面４１０上に表示される（図５のステップＳ４）。
【００８２】
このように、ユーザの指示によって切断位置を切り替えて表示することによって、様々な切断位置で病巣を確認することができ、病巣の形や大きさ等を立体的に把握することができる。
【００８３】
以上のように、本実施形態の医用画像表示装置２００によると、ユーザに複数の医用画像それぞれに示された病巣などの変化を確実に認識させることができる。
【００８４】
以上で、本発明の第１実施形態の説明を終了し、本発明の第２実施形態について説明する。本発明の第２実施形態は、図４に示す第１実施形態とほぼ同様の構成を有しているため、図４を第２実施形態の説明でも流用し、同じ要素については同じ符号を付して説明を省略し、それらの相違点についてのみ説明する。
【００８５】
本実施形態の医用画像表示装置２００では、注目箇所指定部２２０において、１つの断面画像上で複数の注目箇所を指定することができる。
【００８６】
図１１は、断面画像表示画面の一例を示す図である。
【００８７】
図１１に示す断面画像表示画面４１１には、図７に示す断面画像表示画面４１０と同様に、図６に示す断面画像群３１０，３２０を構成する断面画像のうち、１つの切断位置Ｘ０における断面画像３１０＿Ｘ０，３２０＿Ｘ０が表示されている。
【００８８】
例えば、ユーザが左側の断面画像３１０＿Ｘ０上で２つの注目点を指定し、さらに比較ボタン４１２を選択すると、図４に示す注目箇所設定部２３０において、指定された２つの注目点それぞれが注目箇所Ｐ１＿１，Ｐ１＿２と決定される。
【００８９】
本実施形態においては、図４に示す位置ずれ補正部２４０が備えられておらず、注目箇所設定部２３０において設定された注目箇所Ｐ１＿１，Ｐ１＿２の位置情報は、直接に断面画像探索部２５０に伝えられる。
【００９０】
断面画像探索部２５０では、２つの注目箇所Ｐ１＿１，Ｐ１＿２それぞれに対して、断面画像群３２０を構成する複数の断面画像の中から、各注目箇所Ｐ１＿１，Ｐ１＿２に相当する箇所が含まれた断面画像が探索される。以下では、説明の都合上、それらの注目箇所Ｐ１＿１，Ｐ１＿２を注目箇所Ｐ１と称して説明する。
【００９１】
ところで、近年、様々なシーンで撮影された複数のサンプル画像それぞれに対して、画素値の最大値、最小値、平均値、中間値などといった多数種類の画像的特徴量を算出して、各シーンとその画像的特徴との対応をコンピュータで学習させるマシンラーニングが広く利用されている。このマシンラーニングを用いると、人間では扱いきれない数の特徴量を用いることができるとともに、人間の推測力では思いもつかないような相関関係が見つかって、精度の高い判別が実現することが知られている。本実施形態の断面画像探索部２５０には、予め、断面画像中の病変部分における画像的特徴が記憶されており、マシンラーニングを利用して断面画像の探索が行われる。
【００９２】
図１２は、本実施形態における断面画像の探索方法を示すフローチャート図である。
【００９３】
断面画像探索部２５０では、まず、断面画像３２０＿Ｘ０上の、断面画像３１０＿Ｘ０で指定された注目箇所Ｐ１と同じ位置の候補箇所Ｐ２が検出される。さらに、各断面画像３１０＿Ｘ０，３２０＿Ｘ０上の、注目箇所Ｐ１あるいは候補箇所Ｐ２を取り囲む注目領域Ｒ１，Ｒ２が決定される（図１２のステップＳ２１）。この注目領域Ｒ１，Ｒ２の大きさは、一般的な腫瘍等が確実に含まれる経験的な値として予め用意されている。
【００９４】
続いて、各注目領域Ｒ１，Ｒ２を構成している各画素の画像的特徴が分析され、各注目領域Ｒ１，Ｒ２を構成している画素のうち、予め保存されている病変部分の画像的特徴と合致する画素が探索される（図１２のステップＳ２２）。
【００９５】
さらに、病変部分の画像的特徴と合致した画素に対し、各画素が病変部分の輪郭を構成する画素であるか否かが評価され、注目領域Ｒ１，Ｒ２の中から、注目箇所Ｐ１あるいは候補箇所Ｐ２を含む病変部分であると予測される予測領域Ｖ１，Ｖ２の輪郭が抽出される（図１２のステップＳ２３）。
【００９６】
注目箇所の指定を受けて、図１２のステップＳ２１，Ｓ２２，Ｓ２３を経て注目箇所を含む予測領域Ｖ１，Ｖ２の輪郭を抽出し、さらに病変領域の長径および短径を計測する一連の処理は、ワンクリック計測として考案されている技術である。
【００９７】
本実施形態においては、さらに、予測領域Ｖ１，Ｖ２相互間の位置ずれが補正された後で（図１２のステップＳ２４）、断面画像の探索が実行される（図１２のステップＳ２５）。
【００９８】
図１３は、予測領域Ｖ１，Ｖ２の位置合わせ方法を示すフローチャート図である。
【００９９】
まず、予測領域Ｖ１，Ｖ２それぞれに対して、その予測領域を内包する最小の直方体である内接直方体が抽出され、それら予測領域Ｖ１，Ｖ２それぞれの内接直方体の重心位置が合うように、注目箇所が指定されていない断面画像３２０＿Ｘ０を含む断面画像群３２０全体がｘ，ｙ方向に平行移動される（図１３のステップＳ３１）。
【０１００】
続いて、予測領域Ｖ１，Ｖ２それぞれの内接直方体の各頂点が合うようなアフィン変換が算出され、予測領域Ｖ２の内接直方体の頂点を予測領域Ｖ１の内接直方体の頂点に合わせるようなアフィン変換が実行される（図１３のステップＳ３２）。
【０１０１】
さらに、各予測領域Ｖ１，Ｖ２それぞれに対して、各予測領域Ｖ１，Ｖ２に含まれる病変画像部分の面積が最大である断面画像が探索され、探索された断面画像相互間の病変画像部分の重心が一致するように、注目箇所が指定されていない断面画像３２０＿Ｘ０を含む断面画像群３２０全体がスライス方向（ｚ方向）に平行移動される（図１３のステップＳ３３）。
【０１０２】
以上のステップＳ３１，Ｓ３２，Ｓ３３を経ることによって、断面画像群３１０に対する断面画像群３２０の位置ずれ量が取得される。
【０１０３】
続いて、予測領域Ｖ１，Ｖ２の重なりが最も大きくなる剛体変換（本実施形態においては、平行移動と回転との組み合わせによる線形変換）が逐次処理によって算出される。
【０１０４】
剛体変換を実行するための剛体変換行列Ｍの初期行列として、断面画像群３１０，３２０それぞれを構成する断面画像中の、各予測領域Ｖ１，Ｖ２に含まれる病変画像部分の重心を合わせる平行移動を実行するための変換行列が設定されている。
【０１０５】
まず、断面画像群３１０，３２０が変換行列Ｍによって位置合わせされ、予測領域Ｖ１，Ｖ２の重なり度合いを評価するための一致係数が算出される（図１３のステップＳ３４）。ここでは、断面画像群３１０，３２０それぞれを構成している断面画像において、各予測領域Ｖ１，Ｖ２に含まれる病変画像部分が重なっている重なり部分の面積の総和が一致係数として算出される。
【０１０６】
続いて、剛体変換行列Ｍに基づいて、所定量の平行移動および回転を加えた新たな変換行列Ｍ´が生成される（図１３のステップＳ３５）。
【０１０７】
変換行列Ｍ´が生成されると、断面画像群３１０，３２０が変換行列Ｍ´によって位置合わせされ、ステップＳ３４と同様にして、一致係数が算出される。一致係数が増加した場合（図１３のステップＳ３６：Ｙｅｓ）、予測領域Ｖ１，Ｖ２に含まれる病変画像部分の重なり面積が増加したことを表わし、新たに生成された変換行列Ｍ´が剛体変換行列Ｍに設定される（図１３のステップＳ３７）。
【０１０８】
さらに、新たな剛体変換行列Ｍに基づいて、所定量の平行移動および回転を加えた変換行列Ｍ´が生成され、断面画像群３１０，３２０が生成された変換行列Ｍ´によって位置合わせされた後で一致係数が算出される。ステップＳ３５からステップＳ３７の処理は、一致係数が増加しなくなるまで繰り返し実行される。
【０１０９】
一致係数が増加しない場合（図１３のステップＳ３６：Ｎｏ）、剛体変換行列Ｍの変更が行われず、今度は新たな基準の一致係数が算出される（図１５のステップＳ３８）。ここでは、断面画像群３１０，３２０それぞれを構成している断面画像において、各予測領域Ｖ１，Ｖ２に含まれる病変画像部分が重なっている重なり部分の面積Ｓ、重なり部分の濃度値の相関係数Ｎを使って、
一致係数＝ａＳ×ｂＮ      ・・・（１）
で算出される。式（１）中の係数ａ，ｂは、病変部の種類などに応じて設定される。
【０１１０】
続いて、剛体変換行列Ｍに基づいて、所定量の平行移動および回転に加えて、濃度値を補正を加えた新たな変換行列Ｍ´´が生成される（図１３のステップＳ３９）。
【０１１１】
変換行列Ｍ´´が生成されると、断面画像群３１０，３２０が変換行列Ｍ´´によって位置合わせされ、ステップＳ３８と同様に一致係数が算出される。一致係数が増加した場合（図１３のステップＳ４０：Ｙｅｓ）、新たに生成された変換行列Ｍ´´が剛体変換行列Ｍに設定される（図１３のステップＳ４１）。
【０１１２】
ステップＳ３９からステップＳ４１までの処理が、一致係数が増加しなくなるまで繰り返し実行される。
【０１１３】
以上のようにして位置合わせ処理が行われる。
【０１１４】
位置合わせ処理が終了すると（図１２のステップＳ２４）、位置合わせ処理の過程で取得された位置ずれ量に基づいて、断面画像３１０＿Ｘ０上の注目領域Ｐ１に対応する注目領域Ｐ１´の座標が算出され、さらに、断面画像群３２０中の断面画像のうち、注目領域Ｐ１´を含む断面画像が探索される（図１２のステップＳ２５）。
【０１１５】
本実施形態においては、図１１に示す断面画像３１０＿Ｘ０上において、２つの注目箇所Ｐ１＿１，Ｐ１＿２が指定されており、図１２に示す一連の処理によって、それら２つの注目箇所Ｐ１＿１，Ｐ１＿２それぞれに対応する注目箇所Ｐ１´＿１，Ｐ１´＿２を含む２つの断面画像が探索される。探索された断面画像は、画像表示部２７０に伝えられて、断面画像表示画面４１１上に表示される。
【０１１６】
図１４は、探索された断面画像３２０＿Ｘｎ，３２０＿Ｘｍが表示された断面画像表示画面４１１の一例を示す図である。
【０１１７】
図１４に示す断面画像表示画面４１１には、断面画像３１０＿Ｘ０上の注目箇所Ｐ１＿１，Ｐ１＿２それぞれに相当する注目箇所Ｐ１´＿１，Ｐ１´＿２が含まれた３２０＿Ｘｎ，３２０＿Ｘｍが表示されており、各注目箇所Ｐ１´＿１，Ｐ１´＿２には、マーク画像が表示されている。
【０１１８】
このように、１つの断面画像上で複数の注目領域が設定された場合には、それらの注目領域それぞれに対して断面画像が探索されることによって、１度の操作で複数の病巣などの変化を確認することができる。
【０１１９】
ここで、上記では、２セットの断面画像群に含まれる断面画像を表示する例について説明したが，本発明にいう画像表示部は、３セット以上の断面画像群に含まれる断面画像を表示するものであってもよい。
【０１２０】
また、上記では、位置ずれを補正した後の断面画像を用いて、注目箇所に相当する箇所を含んだ断面画像の探索が行われる例について説明したが、本発明にいう断面画像探索部は、位置ずれを補正していない断面画像を用いて探索を行うものであってもよい。
【０１２１】
また、上記では、断面画像上で注目点を指定する例について説明したが、本発明にいう注目箇所設定部は、例えば、断面画像中の注目領域を指定するものであってもよい。注目領域を指定する場合、この指定された領域を画像マッチングにおける注目領域として利用することができる。
【０１２２】
また、上記では、断面画像上でユーザが病巣と推測される注目箇所を手動で指定する例について説明したが、本発明にいう注目箇所設定部は、例えば、断面画像中の、サンプル画像と似ている画像パターンを有する画像部分を画像処理によって検索し、その検索された画像部分を注目箇所として設定するものであってもよい。例えば、動脈相と遅延相とを比較読影する場合、造影剤の動きが早くて画像濃度が高く、病変を検出しやすい動脈相側で病変を自動抽出しておき、本発明を適用して遅延相側の、自動抽出された病変箇所に相当する箇所が含まれる断面画像を探索することができる。
【０１２３】
また、本発明の画像表示装置は、過去に撮影された断面画像上で病変部分の位置を保存しておき、新たな断面画像のセットが得られた場合に、過去の病変部分のリストを表示して、ユーザによって選択された病変部分の位置を取得して今回の注目箇所として設定するものであってもよい。
【０１２４】
また、本発明の画像表示装置は、例えば、右肺野や左肺野上の注目箇所が指定された場合、それら右肺野および左肺野の中心点を注目箇所として設定してもよい。
【０１２５】
また、上記では、本発明の画像表示装置を診断装置に適用する例について説明したが、本発明の画像表示装置は、管理サーバなどに適用してもよい。
【図面の簡単な説明】
【０１２６】
【図１】本発明の一実施形態が適用された医療診断システムの概略構成図である。
【図２】診断装置のハードウェア構成図である。
【図３】ＣＤ−ＲＯＭを示す概念図である。
【図４】医用画像表示装置の機能ブロック図である。
【図５】管理サーバから医用画像を取得し、その取得した医用画像を表示するまでの一連の処理の流れを示すフローチャート図である。
【図６】管理サーバから送られてくる医用画像のイメージを示す図である。
【図７】断面画像表示画面の一例を示す図である。
【図８】位置ずれの補正方法を示すフローチャート図である
【図９】断面画像の探索方法を説明するための図である。
【図１０】探索された断面画像が表示された断面画像表示画面の一例を示す図である。
【図１１】断面画像表示画面の一例を示す図である。
【図１２】本発明の第２実施形態における断面画像の探索方法を示すフローチャート図である。
【図１３】予測領域Ｖ１，Ｖ２の位置合わせ方法を示すフローチャート図である。
【図１４】探索された断面画像が表示された断面画像表示画面の一例を示す図である。
【符号の説明】
【０１２７】
１０    画像生成装置
１１    ＣＲ装置
１２    ＭＲＩ装置
２０    管理サーバ
３０    診断装置
３１    本体装置
３２    画像表示装置
３３    キーボード
３４    マウス
３０１    ＣＰＵ
３０２    主メモリ
３０３    ハードディスク装置
３０４    ＦＤドライブ
３０５    ＣＤ−ＲＯＭドライブ
３０６    Ｉ／Ｏインタフェース
１００    医用画像表示プログラム
１１０    画像取得部
１２０    注目箇所指定部
１３０    注目箇所設定部
１４０    位置ずれ補正部
１５０    断面画像探索部
１６０    切断位置切替部
１７０    画像表示部
２００    医用画像表示装置
２１０    画像取得部
２２０    注目箇所指定部
２３０    注目箇所設定部
２４０    位置ずれ補正部
２５０    断面画像探索部
２６０    切断位置切替部
２７０    画像表示部
【図１】
0004616872.tif 000002
【図２】
0004616872.tif 000003
【図３】
0004616872.tif 000004
【図４】
0004616872.tif 000005
【図５】
0004616872.tif 000006
【図６】
0004616872.tif 000007
【図７】
0004616872.tif 000008
【図８】
0004616872.tif 000009
【図９】
0004616872.tif 000010
【図１０】
0004616872.tif 000011
【図１１】
0004616872.tif 000012
【図１２】
0004616872.tif 000013
【図１３】
0004616872.tif 000014
【図１４】
0004616872.tif 000015